(57)【要約】【課題】主屋等の間に掛け渡して設けられる屋根を支持する支持梁を、主屋等の被固定壁に対して簡単かつ安価な構造によって水平方向に可動自在に支持することができる屋根の支持部構造を得る。【解決手段】相対向する被固定壁２ｂ，３ｂとの間に掛け渡して支持され屋根１が載置される支持梁４を備える。この支持梁は、その端部４ａが、被固定壁に対し梁受け部材１１を介して該梁の幅方向および長手方向に可動自在な状態で保持されている。梁受け部材は、支持梁の端部を該梁の幅方向において可動可能に保持するとともに、両側に設けた付勢手段１２で付勢することによって弾性的に支持される。また、この梁受け部材は、支持梁の端部を該梁の長手方向において可動可能に支持するとともに、両端側の被固定壁との間に介在させた付勢手段１３によって弾性的に支持される。【選択図】　　　　図４
2004107923.tif 000002
【特許請求の範囲】
【請求項１】
相対向する被固定壁間に掛け渡して設けられる屋根の支持部構造であって、
前記被固定壁との間に掛け渡して支持され前記屋根が載置される支持梁を備え、
この支持梁は、前記被固定壁に対して、該梁の幅方向および長手方向に可動自在な状態で保持されていることを特徴とする屋根の支持部構造。
【請求項２】
請求項１記載の屋根の支持部構造において、
屋根の支持部は、被固定壁側に固定される梁受け部材を備えてなり、
この梁受け部材に対して支持梁の端部が可動自在な状態で保持されていることを特徴とする屋根の支持部構造。
【請求項３】
請求項２記載の屋根の支持部構造において、
梁受け部材は、支持梁の端部を該梁の幅方向において可動可能に保持するとともに、両側に設けた付勢手段で付勢することによって弾性的に支持されていることを特徴とする屋根の支持部構造。
【請求項４】
請求項２または請求項３記載の屋根の支持部構造において、
梁受け部材は、支持梁の端部を該梁の長手方向において可動可能に支持するとともに、両端側の被固定壁との間に介在させた付勢手段によって弾性的に支持されていることを特徴とする屋根の支持部構造。
【請求項５】
請求項２ないし請求項４のいずれか１項に記載の屋根の支持部構造において、
梁受け部材は、支持梁の端部を該梁の上、下方向への動きを規制する規制手段を介して可動自在に支持されていることを特徴とする屋根の支持部構造。
【発明の詳細な説明】
【０００１】
【発明の属する技術分野】
本発明は、たとえば主屋と主屋との間に掛け渡して設けられる屋根の支持部構造に関する。
【０００２】
【従来の技術】
たとえば２階建てアパート等の集合住宅において、外階段の左、右に住戸を並設したものが従来から知られている（たとえば、特許文献１参照）。
【０００３】
ところで、この種の集合住宅において、左、右の住戸を所定間隔をおいて配置させ、外階段等を含めた共用スペースを設けることが望まれている。このような共用スペースを設けた場合において、その上部を覆う屋根、すなわち左、右の住戸となる主屋と主屋との間に掛け渡される屋根は、両側の主屋側の梁と一体的に構成した梁に対して載置することにより支持するのが一般的である。
【０００４】
【特許文献１】
特開平１１−１１７５４７号公報
【０００５】
【発明が解決しようとする課題】
しかし、上記のような一体構造とすると、主屋側の屋根を含めた屋根全体を支えるために構造的に強くする必要があり、梁を太くしなければならない。このようにすると、梁が太く、しかも重量も嵩むため、施工が煩雑となるばかりでなく、該梁を支持する柱等の強度も向上させる必要がある。
【０００６】
一方、屋根が小さいと、構造的に弱くてもよいことから、細い梁を用いることができる。したがって、上述した主屋と主屋との間に掛け渡して設けられる屋根やその支持部は、主屋側とは分けて構成することが望まれる。
【０００７】
このような屋根支持構造を採用するにあたって必要なことは、上記の屋根や支持部、特に支持部の連結部分を主屋側に対して水平方向において動けるように構成しなければならないことである。しかも、このような屋根の支持部の連結部分には、鉛直方向の力に抗して屋根を支えることができるとともに、吹き上げ方向での力に対しての抗力も備えることが望まれており、このような点を満足することが必要である。
【０００８】
本発明はこのような事情に鑑みてなされたものであり、主屋等の間に掛け渡して設けられる屋根を支持する支持梁を、主屋等の被固定壁に対して簡単かつ安価な構造によって水平方向に可動自在に支持することができる屋根の支持部構造を得ることを目的とする。
【０００９】
【課題を解決するための手段】
このような目的に応えるために本発明（請求項１記載の発明）に係る屋根の支持部構造は、相対向する被固定壁間に掛け渡して設けられる屋根の支持部構造であって、前記被固定壁との間に掛け渡して支持され前記屋根が載置される支持梁を備え、この支持梁は、前記被固定壁に対して、該梁の幅方向および長手方向に可動自在な状態で保持されていることを特徴とする。
【００１０】
本発明（請求項２記載の発明）に係る屋根の支持部構造は、請求項１において、屋根の支持部は、被固定壁側に固定される梁受け部材を備えてなり、この梁受け部材に対して支持梁の端部が可動自在な状態で保持されていることを特徴とする。
【００１１】
本発明（請求項３記載の発明）に係る屋根の支持部構造は、請求項２において、梁受け部材は、支持梁の端部を該梁の幅方向において可動可能に保持するとともに、両側に設けた付勢手段で付勢することによって弾性的に支持されていることを特徴とする。
【００１２】
本発明（請求項４記載の発明）に係る屋根の支持部構造は、請求項２または請求項３において、梁受け部材は、支持梁の端部を該梁の長手方向において可動可能に支持するとともに、両端側の被固定壁との間に介在させた付勢手段によって弾性的に支持されていることを特徴とする。
【００１３】
本発明（請求項５記載の発明）に係る屋根の支持部構造は、請求項２ないし請求項４のいずれか１項において、梁受け部材は、支持梁の端部を該梁の上、下方向への動きを規制する規制手段を介して可動自在に支持されていることを特徴とする。
【００１４】
本発明によれば、相対向する被固定壁側に設けた梁受け部材に対して、支持梁の各端部を、長手方向および幅方向に可動自在な状態で組付ける。そして、長手方向、幅方向にそれぞれ介在させた付勢手段で弾性的に支持する。また、該支持梁の各端部を、該梁の上、下方向の動きを規制する規制手段を介して可動自在に支持することにより、屋根が載置される支持梁の端部を水平方向において可動自在に支持する。
【００１５】
本発明によれば、被固定壁間に掛け渡して設けられる屋根を支持する支持梁として細いものを用いても、構造上の強度を充分にすることができ、しかも構造が簡単でコスト的にも安価であり、また施工性の面でも優れた屋根の支持部構造を得ることができる。
【００１６】
【発明の実施の形態】
図１ないし図５は本発明に係る屋根の支持部構造の一つの実施の形態を示すものであり、この実施の形態では、本発明を特徴づける屋根１の支持部構造を、図１に示すように、主屋２と主屋３との間に掛け渡して設けられる屋根１について説明する。
【００１７】
屋根１は、図１、図２および図３に示すように、主屋２，３間でそれぞれの側壁部、すなわち相対向する被固定壁２ｂ，３ｂ間に掛け渡されている支持梁４，５，６上に載置することにより設けられている。なお、図中２ａは主屋２の屋根、３ａは主屋３の屋根である。
【００１８】
本発明によれば、上述した支持梁４，５，６（以下、支持梁４として説明する）を被固定壁２ｂ，３ｂに連結する支持梁連結部１０を、図４および図５に示すように構成することにより、支持梁４を、被固定壁２ｂ，３ｂに対して該梁４の幅方向および長手方向に可動自在な状態で保持しているところを特徴としている。
【００１９】
これを詳述すると、この支持梁連結部１０は、被固定壁２ｂ，３ｂ側に固定される梁受け部材１１を備えている。この梁受け部材１１は、図４および図５に示すように上向きコ字状を呈する形状で形成され、その被固定壁２ｂ，３ｂに対しての固定用フランジ１１ａ，１１ｂがねじ止めされることで該壁２ｂ，３ｂに固定されている。
【００２０】
前記支持梁４は、その端部（図中４ａを付す）が、この梁受け部材１１に対して梁４の幅方向および長手方向に可動自在な状態で保持される。
そして、支持梁４の端部４ａの幅方向の両側で梁受け部材１１との間に介在させた圧縮コイルばね等の付勢手段１２，１２により、該端部４ａは幅方向に可動可能な状態で弾性的に支持されている。
【００２１】
また、支持梁４の端部４ａと被固定壁２ｂ，３ｂとの間に、これを可動可能に支持するために設けられる隙間に介在させた圧縮コイルばね等の付勢手段１３により、該支持梁４は長手方向に可動可能な状態で弾性的に支持されている。
【００２２】
さらに、支持梁４の端部４ａには、長手方向に長溝形状を呈する二つのガイド溝１５，１５が形成され、これらを貫通するガイドピン１６，１６が、前記梁受け部材１１の対向する側部に支持された状態で設けられている。
【００２３】
このようなガイドピン１６とガイド溝１５とにより、支持梁４を梁受け部材１１に支持することにより、該梁４は、上下方向への動きを規制された状態で、水平方向において幅方向および長手方向には可動可能に支持されることになる。
【００２４】
したがって、支持梁４は、鉛直方向への力や吹き上げ方向への力は規制され、しかも水平方向での外力に対しては、幅方向および長手方向に可動することで安定して支持されることになる。そして、このような支持梁４に対して載置した屋根１は安定した状態で支持されることなる。
【００２５】
このような屋根１の支持部構造によれば、被固定壁２ｂ，３ｂ間に掛け渡して設けられる屋根１を支持する支持梁４として細いものを用いても、構造上の強度を充分にすることができ、しかも構造が簡単でコスト的にも安価であり、また施工性の面でも優れているものであって、その結果として主屋２，３間に掛け渡される屋根１の支持部を簡単に構成することができるのである。
【００２６】
なお、本発明は上述した実施の形態で説明した構造には限定されず、各部の形状、構造等を適宜変形、変更し得ることはいうまでもない。
たとえば上述した実施の形態では、本発明に係る支持部構造を採用した屋根を、集合住宅における左、右の住戸となる主屋と主屋との間に掛け渡して設けられる場合を例に挙げて説明したが、本発明はこれに限定されず、適宜の被固定壁間に設けられる屋根に適用してもよいことは勿論である。
【００２７】
また、上述した実施の形態では、支持梁４の上下方向への動きを規制するためにガイド溝１５とガイドピン１６とを用いた場合を例示したが、これに限定されず、適宜の変形例が考えられる。要は、支持梁４の水平方向での動きを許容した状態で上下動を規制できればよい。
【００２８】
【発明の効果】
以上説明したように本発明に係る屋根の支持部構造によれば、相対向する被固定壁間に掛け渡して設けられる屋根を支持する支持梁として細いものを用いても、屋根を安定して支持することができる程度に構造上の強度を充分にすることができ、しかも構造が簡単でコスト的にも安価であり、また施工性の面でも優れた屋根の支持部構造を得ることができる。
【００２９】
また、本発明によれば、相対向する被固定壁側に設けた梁受け部材に対して、支持梁の各端部を、長手方向および幅方向に可動自在な状態で支持することができるから、屋根や支持部に衝撃等の外力が作用しても、これらを安定して支持することができる。
【図面の簡単な説明】
【図１】本発明に係る屋根の支持部構造の一つの実施の形態を示し、本発明を適用した屋根の概要を説明するための概略斜視図である。
【図２】本発明に係る支持部構造を採用した屋根を説明するための概略平面図である。
【図３】図１のＩＩＩ−ＩＩＩ線断面図である。
【図４】本発明に係る屋根の支持部構造を説明するたの概略分解斜視図である。
【図５】図４を組み立てた状態を説明するための要部拡大断面図である。
【符号の説明】
１…屋根、２，３…主屋、２ｂ，３ｂ…被固定壁、４，５，６…支持梁、４ａ…端部、１０…支持梁連結部、１１…梁受け部材、１２…付勢手段、１３…付勢手段、１５…ガイド溝、１６…ガイドピン。
【図１】
2004107923.tif 000003
【図２】
2004107923.tif 000004
【図３】
2004107923.tif 000005
【図４】
2004107923.tif 000006
【図５】
2004107923.tif 000007